(57)【要約】      （修正有）【課題】消防ポンプ用として建築物の壁面等に設置される採水口の金具であって、消防ホース内に流入する消火用水の流路抵抗を大幅に低減できる構造を有した止水弁付吸水金具を提供する。【解決手段】止水弁３は、水槽内の消防用水を吸水するための吸水管に接続される入口９ａ及びホース接続金具２に接続される出口９ｂを有し、入口９ａと出口９ｂとの間にホース接続金具２の軸線φ２上に位置する直線状の流体通路９ｃを形成した弁箱９と、弁箱９に作動自在に支持され、流体通路９ｃの軸線φ１に対して直角に配置された弁棒１２とを有する。さらに、弁棒１２に取り付けられ、弁棒１２の作動により弁棒１２の軸線を中心に回転運動して流体通路９ｃを開閉する弁体１３と、弁箱９に流体通路９ｃの軸線φ１から離れた位置に設けられ、弁棒１２に連動連結されて弁棒１２を作動させると共に、ホース接続金具２の軸線φ２と同じ方向から操作可能な操作手段とから構成されている。【選択図】図３
0003177615.tif 000002
【実用新案登録請求の範囲】
【請求項１】
消防活動において消防隊が使用する水槽内の消防用水を消防ホースで消防ポンプ車に供給する際に用いるものであり、消防ポンプ車の消防ホースが接続されるホース接続金具（２）と、ホース接続金具（２）に接続された開閉操作可能な止水弁（３）とから成る止水弁付き吸水金具（１）において、前記止水弁（３）は、水槽内の消防用水を吸水するための吸水管に接続される入口（９ａ）及びホース接続金具（２）に接続される出口（９ｂ）を有し、入口（９ａ）と出口（９ｂ）との間にホース接続金具（２）の軸線（φ２）上に位置する直線状の流体通路（９ｃ）を形成した弁箱（９）と、弁箱（９）に作動自在に支持され、流体通路（９ｃ）の軸線（φ１）に対して直角に配置された弁棒（１２）と、弁棒（１２）に取り付けられ、弁棒（１２）の作動により弁棒（１２）の軸線を中心に回転運動して流体通路（９ｃ）を開閉する弁体（１３）と、弁箱（９）に流体通路（９ｃ）の軸線（φ１）から離れた位置に設けられ、弁棒（１２）に連動連結されて弁棒（１２）を作動させると共に、ホース接続金具（２）の軸線（φ２）と同じ方向から操作可能な操作手段（１４）とから構成されていることを特徴とする止水弁付き吸水金具。
【請求項２】
消防活動において消防隊が使用する水槽内の消防用水を消防ホースで消防ポンプ車に供給する際に用いるものであり、消防ポンプ車の消防ホースが接続されるホース接続金具（２）と、ホース接続金具（２）に接続された開閉操作可能な止水弁（３）とから成る止水弁付き吸水金具（１）において、前記止水弁（３）は、水槽内の消防用水を吸水するための吸水管に接続される入口（９ａ）及びホース接続金具（２）に接続される出口（９ｂ）を有し、入口（９ａ）と出口（９ｂ）との間にホース接続金具（２）の軸線（φ２）上に位置する直線状の流体通路（９ｃ）を形成した弁箱（９）と、弁箱（９）に作動自在に支持され、流体通路（９ｃ）の軸線（φ１）に対して直角に配置された弁棒（１２）と、弁棒（１２）に取り付けられ、弁棒（１２）の作動により弁箱（９）の流体通路（９ｃ）と直交する方向へ移動して流体通路（９ｃ）を開閉する弁体（１３）と、弁箱（９）に流体通路（９ｃ）の軸線（φ１）から離れた位置に設けられ、弁棒（１２）に連動連結されて弁棒（１２）を作動させると共に、ホース接続金具（２）の軸線（φ２）と同じ方向から操作可能な操作手段（１４）とから構成されていることを特徴とする止水弁付き吸水金具。
【請求項３】
操作手段（１４）は、弁箱（９）の流体通路（９ｃ）と平行な位置に流体通路（９ｃ）に沿う姿勢で配置され、開閉操作を行うためのハンドル又は開閉用工具が接続される回転操作可能な操作金具（１４′）と、弁箱（９）に設けられ、操作金具（１４′）の回転運動を弁棒（１２）に直角に伝達して弁棒（１２）を作動させるギヤユニット（１４″）とから構成されていることを特徴とする請求項１又は請求項２に記載の止水弁付き吸水金具。
【請求項４】
止水弁（３）は、弁棒（１２）が流体通路（９ｃ）の軸線（φ１）に対して直角に配置された状態で弁箱（９）に回転自在に支持され、また、弁棒（１２）に取り付けた弁体（１３）が円盤状に形成されており、操作手段（１４）により弁棒（１２）を回転駆動させ、円盤状の弁体（１３）を弁箱（９）の流体通路（９ｃ）内で弁棒（１２）の軸線を中心にして９０°正逆回転させることによって、弁箱（９）の流体通路（９ｃ）を開閉するようにしたバタフライ弁に構成されていることを特徴とする請求項１に記載の止水弁付き吸水金具。
【請求項５】
止水弁（３）は、弁棒（１２）が流体通路（９ｃ）の軸線（φ１）に対して直角に配置された状態で弁箱（９）に回転自在に支持され、また、弁棒（１２）に取り付けた弁体（１３）がボール状に形成されて弁箱（９）の流体通路（９ｃ）に連通する直線状の連通路を備えており、操作手段（１４）により弁棒（１２）を回転駆動させ、ボール状の弁体（１３）を弁箱（９）の流体通路（９ｃ）内で弁棒（１２）の軸線を中心にして９０°正逆回転させることによって、弁箱（９）の流体通路（９ｃ）を開閉するようにしたボール弁に構成されていることを特徴とする請求項１に記載の止水弁付き吸水金具。
【請求項６】
止水弁（３）は、弁棒（１２）が流体通路（９ｃ）の軸線（φ１）に対して直角に配置された状態で弁箱（９）に回転自在又は移動自在に支持され、また、弁棒（１２）に取り付けた弁体（１３）が円盤状又は楔状に形成されており、操作手段（１４）により弁棒（１２）を回転駆動又は弁箱（９）の流体通路（９ｃ）と直交する方向へ移動させ、円盤状又は楔状の弁体（１３）を弁箱（９）の流体通路（９ｃ）と直交する方向へ移動させることによって、弁箱（９）の流体通路（９ｃ）を開閉するようにすると共に、流体通路（９ｃ）の全開時には弁体（１３）が流体通路（９ｃ）内に残らないようにした仕切弁に構成されていることを特徴とする請求項１に記載の止水弁付き吸水金具。
【考案の詳細な説明】
【技術分野】
【０００１】
本考案は、主に建築物の壁面等に設置され、消防活動において消防隊が使用する水槽内の消防用水を消防ホースで消防ポンプ車に供給する際に用いられ、消防ポンプ車の消防ホースが接続される止水弁付き吸水金具の改良に係り、特に、水槽側に設けたポンプを使用して消防用水を送水する際に止水弁の流水抵抗が小さくなるようにしてポンプに要する能力を従来の止水弁付き吸水金具よりも小さくすることができ、また、消防ホースを接続する際に止水弁の開閉状態を目視で確認することができて消防活動の迅速性を高められるようにした止水弁付き吸水金具に関するものである。
【背景技術】
【０００２】
消防法においては、一定規模を超える建築物には、消防用水を貯溜する水槽及び水槽内の消防用水を消防ポンプ車に送水するための消防ホースを接続できる吸水金具（所謂採水口）を設置することが定められており、加えて水槽が設置されている位置によっては、消防ホースを接続する吸水金具の一次側に止水弁を設けることとされている。
【０００３】
例えば、水槽が設置されている位置が、吸水金具より上部にある場合には、吸水金具の一次側に止水弁を設けなければならない。
また、水槽が設置されている位置が、吸水金具より下部にあっても、ポンプを経由して送水しなければならない場合には、吸水金具の一次側に止水弁を設けなければならないとされている。
【０００４】
何故なら、前者の場合は、重力により水が常に押し込まれている状態にあるため、吸水金具に消防ホースを接続する際には、その流れを止めるための止水弁が必要であり、また、後者の場合にあっては、消防ホースを接続する前にポンプの送水が開始されることがあり、その場合においては前述の場合と同じく、その流れを止めるための止水弁が必要になるからである。
【０００５】
従来、一次側に止水弁を設けた吸水金具（以下、止水弁付き吸水金具と呼ぶ）としては、図５（Ａ）及び（Ｂ）に示す構造のものが知られている（非特許文献１参照）。
【０００６】
即ち、従来の止水弁付き吸水金具２０は、図５（Ａ）及び（Ｂ）に示す如く、建築物の壁面Ｗに挿通状態で取り付けられたＬ字状パイプ２１と、Ｌ字状パイプ２１の下流側端部（壁面Ｗから突出する部分）の内周面に螺着されたフランジ２２ａ付きのスリーブ金具２２と、スリーブ金具２２の外周面にフランジ２２ａにより抜け止めされた状態で回転自在に取り付けられ、消防ポンプ車の消防ホース（図示省略）が接続される取っ手２３ａ付の環状のホース接続金具２３と、ホース接続金具２３の開口を閉鎖するキャップ（図示省略）と、Ｌ字状パイプ２１の上流側端部（壁面Ｗの内側に位置する端部）に接続され、壁面Ｗに形成した開口Ｗａから開閉操作可能な止水弁２４とから構成されている。
【０００７】
また、前記止水弁２４には、流水（消防用水）を止水する止水面に対して弁体２８が流水の流れと同軸方向に前後移動するアングル型の止水弁２４が使用されている。
【０００８】
具体的には、この止水弁２４は、図５（Ａ）及び（Ｂ）に示す如く、入口２５ａ及び出口２５ｂが直角に配置され、入口２５ａと出口２５ｂとの間に直角に折れ曲がった流体通路２５ｃを有すると共に、入口２５ａの近傍位置に弁座２５ｄを設けた弁箱２５と、弁箱２５の入口２５ａに対向する部分に螺着されたボンネット２６と、ボンネット２６に回転自在に且つ入口２５ａの軸線に沿って移動自在に挿通支持された弁棒２７と、弁棒２７の先端部に取り付けられ、弁箱２５の弁座２５ｄに当座又は離座する円盤状の弁体２８と、弁棒２７の基端部に取り付けられ、壁面Ｗに形成した開口Ｗａ（通常はキャップで閉塞されている）に臨む止水弁２４開閉用のハンドル又は開閉用工具（何れも図示省略）が接続される操作金具２９とから構成されており、操作金具２９に接続したハンドル又は開閉用工具を回転操作して弁棒２７を軸線方向に沿って移動させ、弁体２８を弁座２５ｄに当座又は弁体２８を弁座２５ｄから離座させることによって、弁箱２５の流体通路２５ｃを開閉する構造となっている。
【０００９】
尚、止水弁２４の入口２５ａには、図示していないが、水槽内の消防用水を吸水するための吸水管（図示省略）が接続されており、当該吸水管の途中には、送水用のポンプが設置されている。
【００１０】
ところで、従来の止水弁付き吸水金具２０に用いるアングル型の止水弁２４は、弁体２８が消防用水の流れと同軸方向に前後移動する構造なっているため、全開状態にあっても弁体２８が消防用水の流水方向に対して蓋をする状態で存在している。
また、アングル型の止水弁２４は、弁体２８の開閉を行う弁棒２７が消防用水を止水する止水面に対して垂直の位置にあり、その弁棒２７の先端部には、円盤状の弁体２８が直角に取り付けられていると共に、弁棒２７の基端部には、止水弁２４の開閉操作を行うためのハンドル又は開閉用工具と接続される操作金具２９が取り付けられている。
【００１１】
従って、従来の止水弁付き吸水金具２０は、その構造上及び使用方法から壁面Ｗ上に取り付けられるホース接続金具２３の近傍位置に止水弁２４の操作金具２９を設置する必要があり、また、ホース接続金具２３と止水弁２４とをＬ字状パイプ２１で接続しなければならないため、ホース接続金具２３を止水弁２４の止水面の軸線延長線上に設置することができなかった。
【００１２】
その結果、従来の止水弁付き吸水金具２０は、止水弁２４の開放時に吸水管を通って止水弁２４に流入した消防用水が弁体２８に衝突した後、屈曲したＬ字状パイプ２１を通ってホース接続金具２３に接続された消防ホースにより吸水されるようになっているため、消防用水の流水抵抗が大きくなり、ポンプに能力の大きいものを使用しなければならないと云う問題があった。
【００１３】
更に、従来の止水弁付き吸水金具２０は、止水弁２４がＬ字状パイプ２１を介してホース接続金具２３に接続されているため、止水弁２４の開閉状態を目視で確認することができず、また、止水弁２４開閉用のハンドルや開閉用工具には、止水弁２４の開閉状態の何れかを表すインジケータ類も付設されていないため、消防ホースをホース接続金具２３に接続する前に必ずハンドル操作を行って止水弁２４の開閉状態の確認を行う必要があり、消防活動が遅れてしまうと云う問題があった。
【先行技術文献】
【特許文献】
【００１４】
【非特許文献１】株式会社立売堀製作所のホームページ内の製品案内（採水口）、［平成２４年４月２０日検索］、インターネット＜ＵＲＬ：http://www.itachibori.co.jp/＞
【考案の概要】
【考案が解決しようとする課題】
【００１５】
本考案は、このような問題点に鑑みて為されたものであり、その目的は、止水弁に流水抵抗が小さなものを使用できるようにすることによって、ポンプに要する能力を従来の止水弁付き吸水金具よりも小さくすることができ、また、消防ホースが接続されるホース接続金具と止水弁の設置位置を変えてホース接続金具の軸線と止水弁の流体通路の軸線を同一軸線上にすることによって、消防ホースを接続する際に止水弁の開閉状態を目視で確認することができて消防活動の迅速性を高められるようにした止水弁付き吸水金具を提供することにある。
【課題を解決するための手段】
【００１６】
上記目的を達成するために、本考案の請求項１の考案は、消防活動において消防隊が使用する水槽内の消防用水を消防ホースで消防ポンプ車に供給する際に用いるものであり、消防ポンプ車の消防ホースが接続されるホース接続金具と、ホース接続金具に接続された開閉操作可能な止水弁とから成る止水弁付き吸水金具において、前記止水弁は、水槽内の消防用水を吸水するための吸水管に接続される入口及びホース接続金具に接続される出口を有し、入口と出口との間にホース接続金具の軸線上に位置する直線状の流体通路を形成した弁箱と、弁箱に作動自在に支持され、流体通路の軸線に対して直角に配置された弁棒と、弁棒に取り付けられ、弁棒の作動により弁棒の軸線を中心に回転運動して流体通路を開閉する弁体と、弁箱に流体通路の軸線から離れた位置に設けられ、弁棒に連動連結されて弁棒を作動させると共に、ホース接続金具の軸線と同じ方向から操作可能な操作手段とから構成されていることに特徴がある。
【００１７】
本考案の請求項２の考案は、消防活動において消防隊が使用する水槽内の消防用水を消防ホースで消防ポンプ車に供給する際に用いるものであり、消防ポンプ車の消防ホースが接続されるホース接続金具と、ホース接続金具に接続された開閉操作可能な止水弁とから成る止水弁付き吸水金具において、前記止水弁は、水槽内の消防用水を吸水するための吸水管に接続される入口及びホース接続金具に接続される出口を有し、入口と出口との間にホース接続金具の軸線上に位置する直線状の流体通路を形成した弁箱と、弁箱に作動自在に支持され、流体通路の軸線に対して直角に配置された弁棒と、弁棒に取り付けられ、弁棒の作動により弁箱の流体通路と直交する方向へ移動して流体通路を開閉する弁体と、弁箱に流体通路の軸線から離れた位置に設けられ、弁棒に連動連結されて弁棒を作動させると共に、ホース接続金具の軸線と同じ方向から操作可能な操作手段とから構成されていることに特徴がある。
【００１８】
本考案の請求項３の考案は、請求項１又は請求項２に記載の考案において、操作手段は、弁箱の流体通路と平行な位置に流体通路に沿う姿勢で配置され、開閉操作を行うためのハンドル又は開閉用工具が接続される回転操作可能な操作金具と、弁箱に設けられ、操作金具の回転運動を弁棒に直角に伝達して弁棒を作動させるギヤユニットとから構成されていることに特徴がある。
【００１９】
本考案の請求項４の考案は、請求項１に記載の考案において、止水弁は、弁棒が流体通路の軸線に対して直角に配置された状態で弁箱に回転自在に支持され、また、弁棒に取り付けた弁体が円盤状に形成されており、操作手段により弁棒を回転駆動させ、円盤状の弁体を弁箱の流体通路内で弁棒の軸線を中心にして９０°正逆回転させることによって、弁箱の流体通路を開閉するようにしたバタフライ弁に構成されていることに特徴がある。
【００２０】
本考案の請求項５の考案は、請求項１に記載の考案において、止水弁は、弁棒が流体通路の軸線に対して直角に配置された状態で弁箱に回転自在に支持され、また、弁棒に取り付けた弁体がボール状に形成されて弁箱の流体通路に連通する直線状の連通路を備えており、操作手段により弁棒を回転駆動させ、ボール状の弁体を弁箱の流体通路内で弁棒の軸線を中心にして９０°正逆回転させることによって、弁箱の流体通路を開閉するようにしたボール弁に構成されていることに特徴がある。
【００２１】
本考案の請求項６の考案は、請求項１に記載の考案において、止水弁は、弁棒が流体通路の軸線に対して直角に配置された状態で弁箱に回転自在又は移動自在に支持され、また、弁棒に取り付けた弁体が円盤状又は楔状に形成されており、操作手段により弁棒を回転駆動又は弁箱の流体通路と直交する方向へ移動させ、円盤状又は楔状の弁体を弁箱の流体通路と直交する方向へ移動させることによって、弁箱の流体通路を開閉するようにすると共に、流体通路の全開時には弁体が流体通路内に残らないようにした仕切弁に構成されていることに特徴がある。
【考案の効果】
【００２２】
本考案の止水弁付き吸水金具は、消防ポンプ車の消防ホースが接続されるホース接続金具と、ホース接続金具及び消防用水を吸水するための吸水管にそれぞれ接続される止水弁とから成り、前記止水弁に、直線状の流体通路を有する弁箱内に配設した弁体を作動させる弁棒を流体通路の軸線に対して直角に配置し、弁棒の作動により弁体が弁棒の軸線を中心に回転運動して弁箱の流体通路を開閉するようにした止水弁、若しくは、直線状の流体通路を有する弁箱内に配設した弁体を作動させる弁棒を流体通路の軸線に対して直角に配置し、弁棒の作動により弁体が弁箱の流体通路と直交する方向へ移動して流体通路を開閉するようにした止水弁を使用し、当該止水弁にホース接続金具の軸線と同じ方向から止水弁の開閉操作を行える操作手段を設ける構成としているため、前記ホース接続金具と止水弁とをホース接続金具の軸線と止水弁の流体通路の軸線とが合致するように接続することができる。
その結果、本考案の止水弁付き吸水金具は、ホース接続金具に消防ホースを接続した後、ポンプを起動して止水弁を全開すると、吸水管からの消防用水が止水弁の直線状の流体通路及び流体通路の軸線上に位置するホース接続金具の内方を通って消防ホース内へ流れるため、消防用水が止水弁の屈曲した流体通路やＬ字状パイプ内を流れる従来の止水弁付き吸水金具に比較して流体エネルギーの減少を大幅に軽減させることが可能となり、消防用水を汲み上げるためのポンプの能力を従来のものよりも小さくすることができる。
【００２３】
また、本考案の止水弁付き吸水金具は、ホース接続金具と止水弁とをホース接続金具の軸線と止水弁の直線状の流体通路の軸線とが合致するように接続しているため、ホース接続金具に消防ホースを接続する際にホース接続金具の開口を閉鎖しているキャップを取り外すと、止水弁の弁体の開閉状態を目視で確認することが可能となり、止水弁が開いた状態でポンプが起動されるのを確実に防止することができるうえ、従来の止水弁付き吸水金具のように消防ホースをホース接続金具に接続する前にハンドル操作を行って止水弁の開閉状態の確認を行う必要もなく、消防活動の迅速性を高めることができる。
【図面の簡単な説明】
【００２４】
【図１】本考案の実施の形態に係る止水弁付き吸水金具の平面図である。
【図２】止水弁付き吸水金具の正面図である。
【図３】止水弁付き吸水金具を示し、（Ａ）は止水弁か開放された状態の止水弁付き吸水金具の断面図、（Ｂ）は止水弁が開放された状態の止水弁の正面図である。
【図４】止水弁付き吸水金具を示し、（Ａ）は止水弁が閉鎖された状態の止水弁付き吸水金具の断面図、（Ｂ）は止水弁が閉鎖された状態の止水弁の正面図である。
【図５】従来の止水弁付き吸水金具を建築物の壁面に取り付けた状態を示し、（Ａ）は止水弁が閉鎖された状態の横断面図、（Ｂ）は止水弁が開放された状態の横断面図である。
【考案を実施するための形態】
【００２５】
以下、本考案の実施の形態を図面に基づいて詳細に説明する。
図１〜図４は本考案の実施の形態に係る止水弁付き吸水金具１の一例を示し、当該止水弁付き吸水金具１は、主に消防ポンプ車が近づける建築物の壁面等に設置されており、消防活動において消防隊が使用する水槽内の消防用水を消防ホースで消防ポンプ車に供給する際に用いられるものであり、消防活動時に消防ポンプ車の消防ホースが接続され、水槽側に設置したポンプを用いて水槽内の消防用水を吸水するようにしたものである。
【００２６】
即ち、止水弁付き吸水金具１は、消防ポンプ車の消防ホースが接続されるホース接続金具２と、ホース接続金具２の消防ホースが接続される部分と反対側部分にフランジ４ａ付きのスリーブ金具４、接続用短管５及び連結用リング６を介して接続された開閉操作可能な止水弁３とから成り、接続用短管５を建築物の壁面Ｗに挿通し、ホース接続金具２を締め付け用金具（図示省略）を使用してスリーブ金具４で接続用短管５に接続することによって、ホース接続金具２が壁面Ｗの外方に位置する状態で壁面Ｗに設置されている。
【００２７】
また、ホース接続金具２と止水弁３の開閉操作を行う操作手段１４の操作金具１４′（この操作金具１４′はハンドル又は開閉用工具と接続されて回転操作される）とは、水平状態になるようにして壁面Ｗに設置されており、操作手段１４の操作金具１４′は、壁面Ｗに形成した開口Ｗａに臨んで壁面Ｗの外側から操作できるようになっている。
尚、図１及び図２において、７はホース接続金具２と操作手段１４の操作金具１４′の水平を出すための水平レベル板、１５はホース接続金具２の開口を開閉する取っ手１５ａ付きのキャップである。
【００２８】
前記ホース接続金具２は、環状に形成されており、その外周面には、ホース接続金具２を回転操作するための取っ手２ａが半径方向に延びる状態で形成されている。
また、ホース接続金具２の一端部内周面には、図３（Ａ）及び図４（Ａ）に示す如く、消防ポンプ車の消防ホースの端部に設けた接続用金具（図示省略）が着脱自在に螺着される雌ネジ２ｂが形成され、ホース接続金具２の他端部内周面には、抜け止め用の鍔部２ｃが形成されている。
更に、ホース接続金具２の内周には、環状のパッキン８が配設されており、当該パッキン８は、消防ホースの接続用金具がホース接続金具２の雌ネジ２ｂに螺合された際にシールを行うようになっている。
【００２９】
そして、前記ホース接続金具２は、接続用短管５の建築物の壁面Ｗから外方へ突出する下流側端部（壁面Ｗから突出する部分）に取り付けたスリーブ金具４の外周面に回転自在に嵌められており、ホース接続金具２の内周面に形成した鍔部２ｃがスリーブ金具４のフランジ４ａに当接することによって、スリーブ金具４から抜け止めされている。
【００３０】
前記止水弁３は、水槽内の消防用水を吸水するための吸水管（図示省略）に接続される入口９ａ及びホース接続金具２にスリーブ金具４、接続用短管５及び連結用リング６を介して接続される出口９ｂを有し、入口９ａと出口９ｂとの間にホース接続金具２の軸線φ２上に位置する直線状の流体通路９ｃを形成した弁箱９と、弁箱９に作動自在に支持され、流体通路９ｃの軸線φ１に対して直角に配置された弁棒１２と、弁棒１２に取り付けられ、弁棒１２の回転動作により弁棒１２の軸線を中心に回転運動して流体通路９ｃを開閉する弁体１３と、弁箱９に流体通路９ｃの軸線φ１から離れた位置に設けられ、弁棒１２に連動連結されて弁棒１２を作動させると共に、ホース接続金具２の軸線φ２と同じ方向から操作可能な操作手段１４とから構成されている。
【００３１】
また、この止水弁３は、弁棒１２が流体通路９ｃの軸線φ１に対して直角に配置された状態で弁箱９に回転自在に支持されていると共に、弁棒１２に取り付けた弁体１３が円盤状に形成されており、操作手段１４により弁棒１２を回転駆動させ、円盤状の弁体１３を弁箱９の流体通路９ｃ内で弁棒１２の軸線を中心にして９０°正逆回転させることによって、弁箱９の流体通路９ｃを全開又は全閉するようにしたバタフライ弁に構成されている。
【００３２】
具体的には、前記弁箱９は、図３及び図４に示す如く、内周面中央部に環状の弁座面９ｄを有し、外周面に半径方向外側に延びる筒状の首部９１′を設けた筒状の本体部９１と、本体部９１の一方の端面に密着状態で配置され、消防用水の入口９ａを形成する環状の入口側フランジ部９２と、本体部９１の他方の端面に密着状態で配置され、消防用水の出口９ｂを形成する環状の出口側フランジ部９３とから成り、本体部９１、入口側フランジ部９２及び出口側フランジ部９３を複数のボルト１０・ナット１１で締め付けることによって、組み付け固定されている。このとき、弁箱９の入口９ａ、出口９ｂ及び流体通路９ｃは、一直線上に配置された格好になっている。
更に、弁箱９の入口側フランジ部９２の内周面には、消防用水を貯溜する水槽内の消防用水を吸水するための吸水管が着脱自在に螺着される雌ネジ９ｅが形成され、また、弁箱９の出口側フランジ部９３の内周面には、弁箱９の出口９ｂと接続用短管５とを接続するための連結用リング６が着脱自在に螺着される雌ネジ９ｆが形成されている。
【００３３】
前記弁棒１２は、弁箱９の首部９１′に挿通された状態で弁箱９に回転自在に支持されており、弁箱９の流体通路９ｃの軸線φ１に対して直角に配置された格好になっている。
【００３４】
前記弁体１３は、円盤状に形成されており、その外周面が弁箱９の環状の弁座面９ｄに摺動接触するように弁棒１２の流体通路９ｃ内に突出する部分に取り付けられている。
この弁体１３は、後述する操作手段１４により弁棒１２を回転駆動させ、弁体１３を弁箱９の流体通路９ｃ内で弁棒１２の軸線を中心にして９０°正逆回転させることによって、弁箱９の流体通路９ｃを全開又は全閉するようになっている。
尚、図示していないが、弁体１３の外周面又は弁箱９の弁座面９ｄの何れか一方には、弁体１３の外周面と弁箱９の弁座面９ｄとの間をシールする環状のシート材が設けられている。
【００３５】
前記操作手段１４は、弁箱９の流体通路９ｃと平行な位置に流体通路９ｃに沿う姿勢で配置され、止水弁３の開閉操作を行うためのハンドル又は開閉用工具（何れも図示省略）が接続される回転操作可能な操作金具１４′と、弁箱９に設けられ、操作金具１４′の回転運動を弁棒１２に直角に伝達して弁棒１２を作動させるギヤユニット１４″とから構成されている。
【００３６】
即ち、操作金具１４′は、弁箱９の流体通路９ｃと平行な位置に流体通路９ｃに沿う姿勢で配置されており、止水弁３の開閉操作を行うためのハンドル又は開閉工具が接続されるものである。
また、操作金具１４′は、建築物の壁面Ｗに形成した開口Ｗａに臨む位置に配置されている。
【００３７】
一方、ギヤユニット１４″は、弁箱９の首部９１′先端に取り付けられており、操作金具１４′の回転運動を弁棒１２に直角に伝達して弁棒１２を回転駆動させるものである。
具体的には、ギヤユニット１４″は、弁箱９の首部９１′に取り付けたギヤケース１４ａと、ギヤケース１４ａ内に配設され、弁棒１２に連結されたウオームホイール（図示省略）と、一端部にウオームホイールに噛み合うウオームギヤ（図示省略）を有し、弁箱９の流体通路９ｃと平行に配置されたウオーム軸１４ｂとから成り、ウオーム軸１４ｂのウオームギヤを形成した部分がギヤケース１４ａ内に配設され、ウオーム軸１４ｂの他端部がギヤケース１４ａから外方へ突出し、その突出部分に操作金具１４′が取り付けられている。
【００３８】
従って、このギヤユニット１４″においては、操作金具１４′にハンドル又は開閉用工具を接続し、ハンドル又は開閉用工具により操作金具１４′を回転させると、その回転力がウオーム軸１４ｂ、ウオームギヤ、ウオームホイール、弁棒１２の順に伝達され、これにより弁棒１２が回転駆動されることになる。これに伴って、弁棒１２に取り付けた弁体１３も弁箱９の流体通路９ｃ内で回転し、流体通路９ｃを開閉することになる。
【００３９】
以上のように構成した止水弁付き吸水金具１は、消防ポンプ車の消防ホースが接続されるホース接続金具２と、ホース接続金具２及び消防用水を吸水するための吸水管にそれぞれ接続される止水弁３とから成り、前記止水弁３に直線状の流体通路９ｃを円盤状の弁体１３の回転により開閉するバタフライ弁構造の止水弁３を使用し、当該止水弁３にホース接続金具２の軸線φ２と同じ方向から止水弁３の開閉操作を行える操作手段１４を設ける構成としているため、ホース接続金具２と止水弁３とをホース接続金具２の軸線φ２と止水弁３の流体通路９ｃの軸線φ１とが合致するように接続することができる。
その結果、この止水弁付き吸水金具１は、ホース接続金具２に消防ポンプ車の消防ホースを接続した後、ポンプを起動して止水弁３を全開すると、吸水管からの消防用水が止水弁３の直線状の流体通路９ｃ及び流体通路９ｃの軸線φ１上に位置するホース接続金具２の内方を通って消防ホース内へ流れることになるため、消防用水が止水弁３の屈曲した流体通路２５ｃやＬ字状パイプ２１内を通過する従来の止水弁付き吸水金具２０に比較して流体エネルギーの減少を大幅に軽減させることが可能となり、消防用水を汲み上げるためのポンプの能力を従来のものよりも小さくすることができる。
【００４０】
また、この止水弁付き吸水金具１は、ホース接続金具２と止水弁３とをホース接続金具２の軸線φ２と止水弁３の直線状の流体通路９ｃの軸線φ１とが合致するように接続しているため、ホース接続金具２に消防ホースを接続する際にホース接続金具２の開口Ｗａを閉鎖しているキャップ１５を取り外すと、止水弁３の弁体１３の開閉状態を目視で確認することが可能となり、止水弁３が開いた状態でポンプが起動されるのを確実に防止することができるうえ、従来の止水弁付き吸水金具２０のように消防ホースをホース接続金具２３に接続する前にハンドル操作を行って止水弁２４の開閉状態の確認を行う必要もなく、消防活動の迅速性を高めることができる。
【００４１】
尚、上記の実施の形態に於いては、止水弁３にバタフライ弁構造の止水弁３を使用するようにしたが、止水弁３の構造及び形状は、上記の実施の形態のものに限定されるものではなく、止水弁３の全開時に弁体１３が弁箱９の流体通路９ｃ内を流れる消防用水に対して蓋をしない形式の止水弁３であれば、如何なる構造及び形状の止水弁３であっても良い。
【００４２】
例えば、前記止水弁３としては、図示していないが、弁棒１２が流体通路９ｃの軸線φ１に対して直角に配置された状態で弁箱９に回転自在に支持されていると共に、弁棒１２に取り付けた弁体１３がボール状に形成されて弁箱９の流体通路９ｃに連通する直線状の連通路を備えており、操作手段１４により弁棒１２を回転駆動させ、ボール状の弁体１３を弁箱９の流体通路９ｃ内で弁棒１２の軸線を中心にして９０°正逆回転させることによって、弁箱９の流体通路９ｃを全開又は全閉するようにしたボール弁を使用するようにしても良い。
【００４３】
また、止水弁３としては、図示していないが、弁棒１２が流体通路９ｃの軸線φ１に対して直角に配置された状態で弁箱９に回転自在又は移動自在に支持されていると共に、弁棒１２に取り付けた弁体１３が円盤状又は楔状に形成されており、操作手段１４により弁棒１２を回転駆動又は弁箱９の流体通路９ｃと直交する方向へ移動させ、円盤状又は楔状の弁体１３を弁箱９の流体通路９ｃと直交する方向へ移動させることによって、弁箱９の流体通路９ｃを開閉するようにし、流体通路９ｃの全開時には弁体１３が流体通路９ｃ内に残らないようにした仕切弁を使用するようにしても良い。
尚、弁棒１２が弁箱９の流体通路９ｃと直交する方向へ移動する形式の仕切弁においては、ギヤケース内にピニオンギヤ及びラックを配設したギヤユニットを用いる。
【００４４】
また、上記の実施の形態に於いては、ホース接続金具２に止水弁３の弁箱９の出口９ｂをスリーブ金具４、接続用短管５及び連結用リング６を介して間接的に接続するようにしたが、他の実施の形態に於いては、接続用短管５及び連結用リング６を弁箱９の出口９ｂに一体的に形成し、当該弁箱９の出口９ｂにスリーブ金具４を介してホース接続金具２を回転自在に接続するようにしても良い。
【００４５】
更に、上記の実施の形態に於いては、弁箱９の出口９ｂとスリーブ金具４とを連結用リング６を介して接続するようにしたが、他の実施の形態に於いては、連結用リング６を省略し、弁箱９の出口９ｂにスリーブ金具４を直接接続するようにしても良い。
【００４６】
更に、上記の実施の形態に於いては、ホース接続金具２をねじ込み式としたが、他の実施の形態に於いては、ホース接続金具２に町野式（登録商標）の結合金具の雄型金具を使用するようにしても良い。
【符号の説明】
【００４７】
１は止水弁付き吸水金具、２はホース接続金具、２ａは取っ手、２ｂは雌ネジ、２ｃは鍔部、３は止水弁、４はスリーブ金具、５は接続用短管、６は連結用リング、７は水平レベル板、８はパッキン、９は弁箱、９１は本体部、９１′は首部、９２は入口側フランジ部、９３は出口側フランジ部、９ａは入り口、９ｂは出口、９ｃは流体通路、９ｄは弁座面、９ｅは入口側フランジ部の雌ネジ、９ｆは出口側フランジ部の雌ネジ、１０はボルト、１１はナット、１２は弁棒、１３弁体、１４は操作手段、１４′は操作金具、１４″はギヤユニット、１４ａはギヤケース、１４ｂはウオーム軸、１５はキャップ、１５ａはキャップの取っ手、Ｗは壁面、Ｗａは壁面の開口、φ１は流体通路の軸線、φ２はホース接続金具の軸線。
【図１】
0003177615.tif 000003
【図２】
0003177615.tif 000004
【図３】
0003177615.tif 000005
【図４】
0003177615.tif 000006
【図５】
0003177615.tif 000007